(57)【要約】　　　（修正有）【課題】水中の色素汚濁成分を短時間で取り除く事が出来る液体の濾過システム。【解決手段】濾過タンク１内に蛇腹状に屈折し、円筒状に形成したフィルタ−４を濾過タンクの内壁面とスペ−スを設けて収容し、そのフィルタ−と濾過タンクの内壁面のスペ−スに汚濁液を導く第一のパイプ材１４と、前記したフィルタ−の中心孔部と濾過タンク上面で接続され、浄化された液を外部へ放出する第二のパイプ材２０とを有する濾過システム。【選択図】　　　　　図１
2004008994.tif 000002
【特許請求の範囲】
【請求項１】
濾過タンク内に蛇腹状に屈折し、円筒状に形成したフィルタ−を濾過タンクの内壁面とスペ−スを設けて収容し、そのフィルタ−と濾過タンクの内壁面のスペ−スに汚濁液を導く第一のパイプ材と、前記したフィルタ−の中心孔部と濾過タンク上面で接続され、浄化された液を外部へ放出する第二のパイプ材とを有し、その第二のパイプ材はバルブの切替えで逆洗用の水またはエアを送り込む第三のパイプ材と連通され、その逆洗により前記フィルタ−等から離れた汚濁成分等の外部への排出する手段を有していることを特徴とする液体の濾過システム。
【請求項２】
前記したフィルタ−はその中心孔部内に通液孔を複数穿設した通水パイプを保持し、フィルタ−を保形保持するキャップの中心孔にその先端に刻設されたネジ部を螺合してあることを特徴とする請求項１に記載の液体の濾過システム。
【請求項３】
前記したフィルタ−は上下方向に複数連結し、重合状態としてあることを特徴とする請求項１または請求項２に記載の液体の濾過システム。
【請求項４】
前記したフィルタ−の上部キャップの中心孔は外部突部を備え、その外部突部に刻設されたネジ部を浄化された液の放出または逆洗用の水あるいはエアの圧入用となるパイプ材の下端と螺合してあることを特徴とする請求項１、請求項２または請求項３に記載の液体の濾過システム。
【請求項５】
前記した第一のパイプ材は濾過タンクの外部に配備され、その先端は濾過タンクの下端寄りに接合されていることを特徴とする請求項１、請求項２、請求項３または請求項４に記載の液体の濾過システム。
【請求項６】
前記した第一のパイプ材には開閉弁が取り付けられ、その開閉弁の一次側には活性炭の混入液の収容ボックスが備えられ、汚濁液はこの活性炭の混入液の収容ボックス内を通り、その活性炭成分と共に濾過タンク内へ導入されることを特徴とする請求項１、請求項２、請求項３、請求項４または請求項５に記載の液体の濾過システム。
【請求項７】
前記した汚濁成分等の外部への排出手段は濾過タンクの下部寄りに接続した排出用パイプ材とし、その排出用パイプ材は屈曲させて濾過タンクの頂部よりも低い位置まで立ち上げ、途中に開閉バルブを備えていることを特徴とする請求項１、請求項２、請求項３、請求項４、請求項５または請求項６に記載の液体の濾過システム。
【請求項８】
前記した汚濁成分等の外部への排出手段は前記した第二のパイプ材と弁の切替えにより方向性を変えられるコンパクトな一体型の排出用パイプとしてあることを特徴とする請求項１、請求項２、請求項３、請求項４、請求項５または請求項６に記載の液体の濾過システム。
【請求項９】
前記した汚濁成分等の外部への排出手段は開口に着脱、交換自在にバッグ部材を取り付けたバケット体の、前記バッグ部材に向けて開放されていることを特徴とする請求項１、請求項２、請求項３、請求項４、請求項５、請求項６、請求項７または請求項８に記載の液体の濾過システム。
【請求項１０】
前記したバケット体の下端寄りには排液口が備えられていることを特徴とする請求項９に記載の液体の濾過システム。
【発明の詳細な説明】
【０００１】
【発明の属する技術分野】
本発明は液体の濾過システム、特に産業上使用される水を目的とした濾過システムに関し、例えば染色や酒製造等にあって使用され汚濁状態となった水を瞬時ともいえる短時間で清浄化してリサイクル使用を可能とし、必要とあれば河川、湖水等も浄化して使用可能とすることのできる新規な液体の濾過システムに関する。
【０００２】
【発明の背景】
従来より、液体、特に水の濾過は種々のフィルタ−材や、汚れ成分の沈殿を図る濾過槽等を水の流路に配してワンウェイあるいは循環によって水を浄化しているのが一般的である。また、水に黄ばみ等の色素汚濁等が発生した場合、その色素汚濁成分を吸着除去するため活性炭、それも活性炭パウダ−を混入した液体（水溶液）を目的の水に投入あるいは当初より活性炭を具備したフィルタ−を使用することも行なわれている。
【０００３】
【発明が解決しようとする課題】
しかしながら、水に生じた色素汚濁成分の吸着除去に際して、目的の水に活性炭が投入されると、その活性炭に起因して水は黒く濁り、この黒い濁り、即ち、活性炭成分を取り除き澄んだ透明の状態に清浄化するには通常のフィルタ−等では非常に長い時間を必要としてしまい、水をリサイクル使用するにしても効率が悪いものとなっている。また、活性炭として粒状のものは表面のみが作用してその実効は２％と悪く、無駄が多いため、パウダ−をフィルタ−に具備させたものは使用後にフィルタ−自体を廃棄しなければならず、経済的な負担も大きかった。
【０００４】
【発明の目的】
そこで、本発明は上記した従来の実情、問題点に着目してなされたもので、かかる問題点を解消して、水中の色素汚濁成分を活性炭パウダ−も作用させて瞬時ともいえる短時間で取り除き、澄んだ透明な状態に清浄して水のリサイクル効率を高め、あるいは酒製造等の場合には酒の容器詰めまでの時間を大幅に短縮することもでき、その他広範囲に亘っての応用実施が可能で、使用されるフィルタ−の寿命も長くでき、フィルタ−を洗浄した後の廃物処理も容易に効率よく行なうことができる液体の濾過システムを提供することを目的としている。
【０００５】
【課題を解決するための手段】
この目的を達成するために、本発明に係る液体の濾過システムは濾過タンク内に蛇腹状に屈折し、円筒状に形成したフィルタ−を濾過タンクの内壁面とスペ−スを設けて収容し、そのフィルタ−と濾過タンクの内壁面のスペ−スに汚濁液を導く第一のパイプ材と、前記したフィルタ−の中心孔部と濾過タンク上面で接続され、浄化された液を外部へ放出する第二のパイプ材とを有し、その第二のパイプ材はバルブの切替えで逆洗用の水またはエアを送り込む第三のパイプ材と連通され、その逆洗により前記フィルタ−等から離れた汚濁成分等の外部への排出する手段を有していることを特徴とし、前記したフィルタ−はその中心孔部内に通液孔を複数穿設した通水パイプを保持し、フィルタ−を保形保持するキャップの中心孔にその先端に刻設されたネジ部を螺合してあることを特徴とし、前記したフィルタ−は上下方向に複数連結し、重合状態としてあることを特徴とし、前記したフィルタ−の上部キャップの中心孔は外部突部を備え、その外部突部に刻設されたネジ部を浄化された液の放出または逆洗用の水あるいはエアの圧入用となるパイプ材の下端と螺合してあることを特徴とし、前記した第一のパイプ材は濾過タンクの外部に配備され、その先端は濾過タンクの下端寄りに接合されていることを特徴としている。
【０００６】
また、本発明に係る液体の濾過システムは前記した第一のパイプ材には開閉弁が取り付けられ、その開閉弁の一次側には活性炭の混入液の収容ボックスが備えられ、汚濁液はこの活性炭の混入液の収容ボックス内を通り、その活性炭成分と共に濾過タンク内へ導入されることを特徴とし、前記した汚濁成分等の外部への排出手段は濾過タンクの下部寄りに接続した排出用パイプ材とし、その排出用パイプ材は屈曲させて濾過タンクの頂部よりも低い位置まで立ち上げ、途中に開閉バルブを備えていることを特徴とし、前記した汚濁成分等の外部への排出手段は前記した第二のパイプ材と弁の切替えにより方向性を変えられるコンパクトな一体型の排出用パイプとしてあることを特徴とし、前記した汚濁成分等の外部への排出手段は開口に着脱、交換自在にバッグ部材を取り付けたバケット体の、前記バッグ部材に向けて開放されていることを特徴とし、前記したバケット体の下端寄りには排液口が備えられていることを特徴としている。
【０００７】
【作用】
上記した構成としたことによって、汚濁された液体、特に水（原酒等も含む）は必要に応じて活性炭パウダ−と接触しながら濾過タンク内で蛇腹折りされて円筒状とされたフィルタ−の周囲へ導入され、活性炭パウダ−でコ−ティング状態とされるフィルタ−を通って、そのフィルタ−の中心孔部から濾過タンクの上方へ圧送される。フィルタ−を通った水は清浄化されており、それを貯水槽に受けたり、そのまま産業用水として供給できる。また、フィルタ−が目詰りした時に逆洗を行うとフィルタ−の中心孔部から外部に流れた洗浄水やエアがフィルタ−に付着している使用済の活性炭パウダ−や汚濁成分を取りバケット体へ排出してしまうことになるので、特に着色汚濁成分を急速に取り除くことができ、フィルタ−を使い捨てとすることなく、その寿命も長くすることのできるものとなるのである。
【０００８】
【発明の実施の形態】
次に、本発明の好ましい実施の形態を図面を参照して説明する。図１は本発明を実施した濾過システムの断面正面図、図２はパイプ構成の第二例を示す平面図、図３はフィルタ−とパイプ材の連結構造を示す部分正面図、図４はフィルタ−内部を示す部分断面図、図５はバケット体を示す図である。
【０００９】
これらの図にあって１は濾過タンクを示している。この濾過タンク１は有底筒状のものとなっており、上面開口縁に一体形成されたフランジ１ａを有しており、このフランジ１ａに蓋体２がボルト３・３‥によって固定止着されている。
【００１０】
この濾過タンク１内には、その濾過タンク１の内壁面とスペ−スをおいてフィルタ−４・４が上下に連結重合された状態で収容されている。このフィルタ−４・４は一体物（一つ）でもよいが、汚染交換時に、一パ−トづつの交換をできるように本実施例では二つを連結重合したものとしている。
【００１１】
このフィルタ−４・４は化学繊維と塩化ビニ−ルを混合したペ−パ−状のものを蛇腹折りし、さらに円筒状に丸めたもので、その上下にキャップ５ａ・５ｂを嵌め付け、フィルタ−４の保形をはかり、位置ずれを防止している。
【００１２】
このキャップ５ａ・５ｂの中心部分には円筒状とされているフィルタ−４の中心孔部と連通し、水等を流通させる筒状突部６が形成され、上部となるフィルタ−４のキャップ５ａの筒状突部６はその外周面に刻設された螺条６ａを後述する濾過タンク１の上面中心部から挿し込まれたパイプ部７の内面の螺溝７ａと螺合されて止着され、場合によっては吊持固定状態とされる。
【００１３】
上部のフィルタ−４の下キャップ５ｂの筒状突部は下部のフィルタ−４の上キャップ５ａの筒状突部６と繋がれるが、その際には固定要素としてナット８をワッシャ−９を介して用いてもよい。下部のフィルタ−４の下キャップ５ｂの筒状突部にはこのナット８が用いられ、時として濾過タンク１の底面とのスペ−サとして効用する。
【００１４】
また、フィルタ−４の中心孔部内には下部キャップ５ｂの上面に立設された通水パイプ１０が貫通され、その通水パイプ１０の先端（上端）外周に形成されたネジ部１０ａを上キャップ５ａの筒状突部６と貫通する透孔内周に螺合して止着されている。この通水パイプ１０には複数の通水孔１１・１１‥が穿設されたものとなっている。
【００１５】
一方、図中１２は例えば着色汚濁等された汚液（汚濁水）の引込みパイプである。この引込みパイプ１２は切替え弁１３の作用によって流路を切替えられ、濾過タンク１の外方に位置され、その濾過タンク１に沿って下方へ延びる送込みパイプ１４と連通する。この送込みパイプ１４の先端は屈曲されて濾過タンク１の下端寄りに接続され、フィルタ−（下部フィルタ−）４と濾過タンク１の内壁面とによるスペ−ス内に向けて開放されている。
【００１６】
また、前記した引込みパイプ１２にあって、切替え弁１３の一次側には活性炭パウダ−の混入液（水溶液）を投入、注入するためのボックス部１５が設けられている。即ち、汚濁液は送込みパイプ１４へ流入する前に、この活性炭パウダ−成分と接触し、色素成分を吸着除去されながら送込みパイプ１４を通り、濾過タンク１内に導入されることとなり、フィルタ−４・４‥に浸透してフィルタ−４・４を活性炭パウダ−でコ−ティング状態化する。なお、１６は活性炭の混入液の投入、注入時に汚濁液の流通を一時的に止めるためのバルブである。
【００１７】
こうして濾過タンク１内に導入された汚濁液は活性炭パウダ−を含んだ状態でフィルタ−４・４に浸透通過し、浄化水となって通水孔１１・１１‥から通水パイプ１０に流入し、上フィルタ−４のキャップ５ａと連結され、蓋体２を貫通しているパイプ材７を通り、切替えバルブ１７によって連通された放出パイプ１８を通って放出され、浄水槽等によって受水されることとなる。
【００１８】
さらに、図中１９は目詰りしたフィルタ−４・４に対して逆洗をかけるための逆洗パイプであり、通常は洗浄水が送込まれ、必要に応じ圧縮エアも送り込まれる。この逆洗パイプ１９は前記した切替えバルブ１７の切替え作用によって流路を前記したパイプ材７と連通される。洗浄水やエアはこのパイプ材７から通水パイプ１０に入り、通水孔１１・１１‥から噴出されてフィルタ−４・４を内側から洗浄し、その付着していた使用済の活性炭パウダ−や汚濁成分を濾過タンク１の内壁面とフィルタ−４・４間へ放出させる。
【００１９】
この放出された使用済の活性炭パウダ−や汚濁成分（洗浄水を含む）は濾過タンク１の下端寄りに接続された排出パイプ２０を通って濾過タンク１外へ排出される。この排出パイプ２０は濾過タンク１の下端寄りから上方へ立ち上げられ、濾過タンク１の上頂部よりも低い位置でさらに屈折され、後述するバケット部材２１へ開放される。また、この排出パイプ２０の途中には開閉弁２２が取り付けられており、汚濁水が送込みパイプ１４から濾過タンク１内へ導入されている際に、排出パイプ２０からその汚濁水が流出してしまうことを防止している。
【００２０】
さらに、前記した排出パイプ２０をコンパクトにまとめると図２に示すように構成できる。即ち、前記した浄化水の放出パイプ１８の先端に切替えバルブ２３を設けて分岐させ、一方を浄化水の放出とし、他方を洗浄後の汚水の排出パイプ２０ａとする。この構造によって必要とされるバルブの数やパイプの数を減らすことができることとなっている。
【００２１】
この構造で逆洗をかけると、フィルタ−４・４から排出された使用済活性炭パウダ−や汚濁成分（洗浄水を含む）は濾過タンク１内から前記した送込みパイプ１４を逆流して、切替えバルブ１３（この場合三方向バルブとなる）によって放出パイプ１８へ導かれ、切替えバルブ２３によって排出パイプ２０ａへ連通されることとなる。
【００２２】
そして、前記した排出パイプ２０・２０ａの先端はバケット体２１の上面開口に対して開放されている。バケット体２１の上面開口にはバッグ部材２４が着脱、交換自在に装着されており、排出パイプ２０・２０ａはこのバッグ部材２４に向けて開放されることとなっている。
【００２３】
このバッグ部材２４は排出液から使用済の活性炭Ｃや塵埃等を漉し、水滴Ｗをバケット体２１内に垂下させる。溜まった水滴Ｗは排出口２５から直接河川や下水道へ流出させることができるように浄化されている。
【００２４】
【発明の効果】
本発明に係る液体の濾過システムは上述のように構成されている。そのため、水をはじめとする種々の液体の汚濁を急速に取り除き、脱色のため使用効率が１００％近い活性炭パウダ−成分を使用しても、その活性炭パウダ−はフィルタ−にコ−ティングされた状態とされ、フィルタ−の表面積を増大させた特殊構造から、種々の汚濁成分も残すことなく清浄化することができる。従って各種の産業分野に幅広く応用実施することが可能となっており、フィルタ−から除去された汚濁成分の廃棄処理も容易で効率的となっており、フィルタ−自体を廃棄する必要がなく、洗浄によってリサイクル使用できるのでフィルタ−の寿命も大幅に長くすることができるものとなっているもので、使用するのが安価な活性炭パウダ−で済むことからランニングコストも安価となる。また、使用するバルブ類を電磁弁としてタイマ−やフィルタ−の目詰り度合を測る圧力計等と連動させると自動的に逆洗を実行させ、長時間に亘る自動運転も可能なものとできる。
【図面の簡単な説明】
【図１】本発明を実施した濾過システムの断面正面図である。
【図２】パイプ構成の第二例を示す平面図である。
【図３】フィルタ−とパイプ材の連結構造を示す部分正面図である。
【図４】フィルタ−内部を示す部分断面図である。
【図５】バケット体を示す図である。
【符号の説明】
１　濾過タンク
１ａ　フランジ
２　蓋体
３　ボルト
４　フィルタ−
５ａ　上キャップ
５ｂ　下キャップ
６　筒状突部
６ａ　螺条
７　パイプ部
７ａ　螺溝
８　ナット
９　ワッシャ−
１０　通水パイプ
１０ａ　ネジ部
１１　通水孔
１２　引込みパイプ
１３　切替え弁
１４　送込みパイプ
１５　ボックス部
１６　バルブ
１７　切替えバルブ
１８　放出パイプ
１９　逆洗パイプ
２０　排出パイプ
２０ａ　排出パイプ
２１　バケット部材
２２　開閉弁
２３　切替えバルブ
２４　バッグ部材
２５　排出口
【図１】
2004008994.tif 000003
【図２】
2004008994.tif 000004
【図３】
2004008994.tif 000005
【図４】
2004008994.tif 000006
【図５】
2004008994.tif 000007
【手続補正書】
【提出日】平成14年7月12日(2002.7.12)
【手続補正１】
【補正対象書類名】明細書
【補正対象項目名】特許請求の範囲
【補正方法】変更
【補正の内容】
【特許請求の範囲】
【請求項１】
濾過タンク内に蛇腹状に屈折し、円筒状に形成したフィルタ−を濾過タンクの内壁面とスペ−スを設けて収容し、そのフィルタ−と濾過タンクの内壁面のスペ−スに汚濁液を導く第一のパイプ材と、前記したフィルタ−の中心孔部と濾過タンク上面で接続され、浄化された液を外部へ放出する第二のパイプ材とを有し、その第二のパイプ材はバルブの切替えで逆洗用の水またはエアを送り込む第三のパイプ材と連通され、その逆洗により前記フィルタ−等から離れた汚濁成分等の外部への排出する手段を有していることを特徴とする液体の濾過システム。
【請求項２】
前記したフィルタ−はその中心孔部内に通液孔を複数穿設した通水パイプを保持し、フィルタ−を保形保持するキャップの中心孔にその先端に刻設されたネジ部を螺合してあることを特徴とする請求項１に記載の液体の濾過システム。
【請求項３】
前記したフィルタ−は上下方向に複数連結し、重合状態としてあることを特徴とする請求項１または請求項２に記載の液体の濾過システム。
【請求項４】
前記したフィルタ−の上部キャップの中心孔は外部突部を備え、その外部突部に刻設されたネジ部を浄化された液の放出または逆洗用の水あるいはエアの圧入用となるパイプ材の下端と螺合してあることを特徴とする請求項１、請求項２または請求項３に記載の液体の濾過システム。
【請求項５】
前記した第一のパイプ材は濾過タンクの外部に配備され、その先端は濾過タンクの下端寄りに接合されていることを特徴とする請求項１、請求項２、請求項３または請求項４に記載の液体の濾過システム。
【請求項６】
前記した第一のパイプ材には開閉弁が取り付けられ、その開閉弁の一次側には活性炭の混入液の収容ボックスが備えられ、汚濁液はこの活性炭の混入液の収容ボックス内を通り、その活性炭成分と共に濾過タンク内へ導入されることを特徴とする請求項１、請求項２、請求項３、請求項４または請求項５に記載の液体の濾過システム。
【請求項７】
前記した汚濁成分等の外部への排出手段は濾過タンクの下部寄りに接続した排出用パイプ材とし、その排出用パイプ材は屈曲させて濾過タンクの頂部よりも低い位置まで立ち上げ、途中に開閉バルブを備えていることを特徴とする請求項１、請求項２、請求項３、請求項４、請求項５または請求項６に記載の液体の濾過システム。
【請求項８】
前記した汚濁成分等の外部への排出手段は前記した第二のパイプ材と弁の切替えにより方向性を変えられるコンパクトな一体型の排出用パイプとしてあることを特徴とする請求項１、請求項２、請求項３、請求項４、請求項５または請求項６に記載の液体の濾過システム。
【請求項９】
前記した汚濁成分等の外部への排出手段は開口に着脱、交換自在にバッグ部材を取り付けたバケット体の、前記バッグ部材に向けて開放されていることを特徴とする請求項１、請求項２、請求項３、請求項４、請求項５、請求項６、請求項７または請求項８に記載の液体の濾過システム。
【請求項１０】
前記したバケット体の下端寄りには排液口が備えられていることを特徴とする請求項９に記載の液体の濾過システム。
【請求項１１】
汚濁ガスの流路中に蛇腹状に屈成し、それを円柱状に形成し、かつ、活性炭パウダ−を含浸もしくは添着したフィルタ−を備えていることを特徴とする濾過システム。
【請求項１２】
汚濁ガスの流路中に前記したフィルタ−の収容ボックスを設け、その収容ボックスの一端を開閉自在として、前記したフィルタ−の着脱、交換を自在としてあることを特徴とする請求項１１に記載の濾過システム。
【請求項１３】
汚濁ガスの流路を分岐させ、その一方に前記したフィルタ−の収容ボックスを設け、分岐された別途の流路とはダンパ−によって流路を切り替え可能としてあることを特徴とする請求項１２に記載の濾過システム。
【請求項１４】
前記したフィルタ−を収容するケ−スの下方に送気口を連接し、そのケ−スの上方でフィルタ−の中央部位に対応する位置に送出パイプを連接し、その送出パイプの一端をサイクロンに連結し、そのサイクロンの下端にダストボックスを備えるとともに、前記サイクロンの上方からの循環パイプを備えて、その循環パイプをブロワ−を介して前記送気口とつないであることを特徴とする濾過システムに使用するフィルタ−のクリ−ン化装置。
【手続補正２】
【補正対象書類名】明細書
【補正対象項目名】００２４
【補正方法】変更
【補正の内容】
【００２４】
また、前記したフィルタ−４・４は図６に示す態様として使用することもできる。この図６におけるフィルタ−４・４には予め活性炭溶液が注入され、活性炭パウダ−を含浸、添着した状態とされている。


【手続補正３】
【補正対象書類名】明細書
【補正対象項目名】００２５
【補正方法】変更
【補正の内容】
【００２５】
このフィルタ−４・４が収容される収容ボックス２６は本実施の形態にあっては自動車の排気パイプ２７に接続されており、この収容ボックス２６の一端はヒンジ２８を介して開閉蓋２９がロック機構２８ａで着脱されて枢着され、この開閉蓋２９に排出口３０が取り付けられている。


【手続補正４】
【補正対象書類名】明細書
【補正対象項目名】００２６
【補正方法】変更
【補正の内容】
【００２６】
この実施の態様におけるフィルタ−４・４は前記したものと同様に蛇腹状に屈成したシ−ト状のものを円柱状として、二本を端面当接して収容されており、これは運転者等の携行や車内装備の便のため二本に分割しており、熱に耐えるため、グラスファイバ−等を素材として用いている。このフィルタ−４・４の最後端は無孔キャップ４２で閉塞され、収容ボックス２６内にあってスペ−サ部材３８により、その収容ボックス２６の内壁とスペ−スを形成し、前記した無孔キャップ４２と開閉蓋２９との間もスペ−サ３９によってスペ−スが形成されている。この構成にあって排気ガスは排気パイプ２７から前方のフィルタ−４の中心孔へ入り、フィルタ−４・４内を通り、スペ−スを通って排出口３０から外部へ排出されることとなる。このフィルタ−４・４を通過する際にフィルタ−４・４自体の効用にプラスして活性炭パウダ−の作用により有害物質を濾過するものとしている。


【手続補正５】
【補正対象書類名】明細書
【補正対象項目名】００２７
【補正方法】変更
【補正の内容】
【００２７】
さらに、開閉蓋２９によって収容ボックス２６内へこのフィルタ−４・４を着脱、交換自在としてあり、排気ガス規制のない地域での走行や馬力低下を防止する地域での走行では事前に抜き出してしまうことも可能で、規制の強い地域でのみ、フィルタ−４・４を装填して走行するということも可能となり、この機構は自動車の排気ガスのほか、焼却炉等に利用してダイオキシン等の有害物質を除去することにも利用できる。また、図９として示すように、マフラ−４０の二次側の排気パイプ２７を二股に分岐させ、その一方にのみ前記フィルタ−４・４を収容した収容ボックス２６を配置させておく構造とすることもできる。そして、この分岐はダンパ−４１や方向切替弁を運転席から操作することで自在に排気ガスの流路を変換できるものとしておくと、一々自動車を止め、フィルタ−４・４の出入をせずとも排気ガス規制のある地域の走行をル−トとして入れた場合でも容易に対処でき、その他の地域では必要な馬力を確保することができることとなる。


【手続補正６】
【補正対象書類名】明細書
【補正対象項目名】００２８
【補正方法】変更
【補正の内容】
【００２８】
一方、使用後に活性炭パウダ−の性能が劣化した場合、この使用済の活性炭パウダ−を取り去り、再び活性炭溶液を注入してフィルタ−４・４をリサイクル使用することも可能であり、このクリ−ン化作業には前記した逆洗のほかに図８として示す装置を使うと効率が良く、環境に悪影響を与えることがない。


【手続補正７】
【補正対象書類名】明細書
【補正対象項目名】００２９
【補正方法】変更
【補正の内容】
【００２９】
この図８にあって３１はケ−スを示しており、このケ−ス３１の一方側、この例では下蓋３１ａ側から使用後のフィルタ−４・４を内部に装填するものとしている。このケ−ス３１の下端にはブロワ−３２で吸引されたエアの送気口３３が連接されており、収容されたフィルタ−４・４の外面にエアを強く吹き付けるようになっている。


【手続補正８】
【補正対象書類名】明細書
【補正対象項目名】００３０
【補正方法】変更
【補正の内容】
【００３０】
また、ケ−ス３１の天面にはフィルタ−４・４の中心と対応させて送出パイプ３４の一端が連接され、ブロワ−３２によって送り込まれたエアがフィルタ−４・４の目を通り、使用済となった活性炭や吸着された塵埃等とともにケ−ス３１外へ送り出されるようになっている。


【手続補正９】
【補正対象書類名】明細書
【補正対象項目名】００３１
【補正方法】変更
【補正の内容】
【００３１】
この送出パイプ３４の他端はサイクロン３５の上部に連結されており、このサイクロン３５内にエアとともに導かれた使用済の活性炭や塵埃は旋回しながら落下し、サイクロン３５の下方に設けられたダストボックス３６に回収される。


【手続補正１０】
【補正対象書類名】明細書
【補正対象項目名】００３２
【補正方法】変更
【補正の内容】
【００３２】
また、サイクロン３５の上方からは循環パイプ３７が外部に延長されており、この循環パイプ３７の端部は前記したブロワ−３２に接続されている。このことによって、サイクロン３５内のエアはブロワ−３２の吸引力で強制的に循環され、周囲にエアを漏らしてしまうことがなく、環境に悪影響を及ぼしてしまう虞がないようにしている。


【手続補正１１】
【補正対象書類名】明細書
【補正対象項目名】００３３
【補正方法】変更
【補正の内容】
【００３３】
【発明の効果】
本発明に係る液体の濾過システムは上述のように構成されている。そのため、水をはじめとする種々の液体の汚濁を急速に取り除き、脱色のため使用効率が１００％近い活性炭パウダ−成分を使用しても、その活性炭パウダ−はフィルタ−にコ−ティングされた状態とされ、フィルタ−の表面積を増大させた特殊構造から、種々の汚濁成分も残すことなく清浄化することができる。従って各種の産業分野に幅広く応用実施することが可能となっており、フィルタ−から除去された汚濁成分の廃棄処理も容易で効率的となっており、フィルタ−自体を廃棄する必要がなく、洗浄によってリサイクル使用できるのでフィルタ−の寿命も大幅に長くすることができるものとなっているもので、使用するのが安価な活性炭パウダ−で済むことからランニングコストも安価となる。また、使用するバルブ類を電磁弁としてタイマ−やフィルタ−の目詰り度合を測る圧力計等と連動させると自動的に逆洗を実行させ、長時間に亘る自動運転も可能なものとできる。


【手続補正１２】
【補正対象書類名】明細書
【補正対象項目名】図面の簡単な説明
【補正方法】変更
【補正の内容】
【図面の簡単な説明】
【図１】本発明を実施した濾過システムの断面正面図である。
【図２】パイプ構成の第二例を示す平面図である。
【図３】フィルタ−とパイプ材の連結構造を示す部分正面図である。
【図４】フィルタ−内部を示す部分断面図である。
【図５】バケット体を示す図である。
【図６】自動車の排気ガス浄化用として使用した例を示す図である。
【図７】開閉蓋を開いた状態を示す図である。
【図８】フィルタ−のクリ−ン化装置を示す図である。
【図９】排気ガスパイプの構成を示す図である。
【符号の説明】
１　濾過タンク
１ａ　フランジ
２　蓋体
３　ボルト
４　フィルタ−
５ａ　上キャップ
５ｂ　下キャップ
６　筒状突部
６ａ　螺条
７　パイプ部
７ａ　螺溝
８　ナット
９　ワッシャ−
１０　通水パイプ
１０ａ　ネジ部
１１　通水孔
１２　引込みパイプ
１３　切替え弁
１４　送込みパイプ
１５　ボックス部
１６　バルブ
１７　切替えバルブ
１８　放出パイプ
１９　逆洗パイプ
２０　排出パイプ
２０ａ　排出パイプ
２１　バケット部材
２２　開閉弁
２３　切替えバルブ
２４　バッグ部材
２５　排出口
２６　収容ボックス
２７　排気パイプ
２８　ヒンジ
２８ａ　ロック機構
２９　開閉蓋
３０　排出口
３１　ケ−ス
３２　ブロワ−
３３　送気口
３４　送出パイプ
３５　サイクロン
３６　ダストボックス
３７　循環パイプ
３８　スペ−サ
３９　スペ−サ
４０　マフラ−
４１　ダンパ−
４２　無孔キャップ


【手続補正１３】
【補正対象書類名】図面
【補正対象項目名】図６
【補正方法】追加
【補正の内容】
【図６】
2004008994.tif 000008
【手続補正１４】
【補正対象書類名】図面
【補正対象項目名】図７
【補正方法】追加
【補正の内容】
【図７】
2004008994.tif 000009
【手続補正１５】
【補正対象書類名】図面
【補正対象項目名】図８
【補正方法】追加
【補正の内容】
【図８】
2004008994.tif 000010
【手続補正１６】
【補正対象書類名】図面
【補正対象項目名】図９
【補正方法】追加
【補正の内容】
【図９】
2004008994.tif 000011